(57)【要約】
【課題】　容器を設置する前面パネルエリアと空間を低減でき、熱水、冷水および温水を供給する水供給装置の単一出口弁を提供する。
【解決手段】　水供給装置の出口弁構造は、本体部材１、第１の制御部材２、第２制御部材３および制御スイッチ４を有している。出口弁は、熱水、冷水および温水の切り替えと供給を制御する機能を有する。したがって、この出口弁のうちの１つだけを１つの水供給装置に要し、この結果、水供給装置の前面パネルエリアは、減少する。
【選択図】　　　　　　図１
0003099075.tif 000002
【実用新案登録請求の範囲】
【請求項１】
　底面で終端された第１端部と開放された第２端部を有し、前記底面が、水入口、水供給口、第１出口および第２出口を備え、中空の本体部材と、
　当該本体部材内で固定され、水入口、当該水入口に対し離間した位置の第１出口、水入口近傍の第２出口を有する第１制御部材と、
　本体部材内に配置され、第１制御部材上に置かれ、前記第１制御部材の水供給口と連通されたスロットと、当該スロット内に伸延するように設けられた水ブロックとを有し、閉鎖状態の場合、当該水ブロックが前記第１制御部材の水入口と整合される第２制御部材と、
　前記本体部材の開放された第２端部を覆い、前記第２制御部材と連結され、前記第１制御部材に対して回転するように前記第２制御部材を駆動する制御スイッチと、を有し、
　前記第１制御部材の第１出口は、連通溝により水供給口と連通され、これにより、前記本体部材の水入口、水供給口、第１および第２出口が、第１制御部材の水入口、水供給口、第１および第２出口にそれぞれ連通するように構成され、
　また、少なくとも３分の１の出口が第１制御部材の第１出口と第２出口との間の位置に対応する前記第２制御部材に形成されたことを特徴とする水供給装置の出口弁。
【請求項２】
　前記本体部材は、底面から空間に向って伸延する軸柱を有し、第１および第２の制御部材各々が軸柱の貫通を許容する軸孔を有する請求項１に記載の出口弁。
【請求項３】
　前記第２制御部材は、周囲が環状で、前記本体部材は、第２制御部材の周囲と共形の内部輪郭を有する請求項２に記載の出口弁。
【請求項４】
　前記第１制御部材は、その周囲にノッチ部を有し、前記本体部材は、前記ノッチ部と係合する突起を当該本体部材の側壁から伸延した請求項１に記載の出口弁。
【請求項５】
　前記第１制御部材は、更に、相互に近接して取り付けられた上部体と下部体を有する請求項１に記載の出口弁。
【請求項６】
　前記各上下部体は、両者を一体的に連結する固定部材が挿通する少なくとも１つの連結孔を有する請求項５に記載の出口弁。
【請求項７】
　前記第２制御部材は、更に、第１制御部材の第１および第２出口と互い違いに形成された２つの第３出口を有する請求項１に記載の出口弁。
【請求項８】
　前記制御スイッチは、制御ハンドルと、本体部材の開放端を覆う蓋と、および、制御ハンドル、蓋および第２制御部材を連結する軸と、を有する請求項１に記載の出口弁。
【請求項９】
　前記蓋と本体部材と間にシールリングが設けられた請求項８に記載の出口弁。
【請求項１０】
　更に、前記第２制御部材とスイッチ部材との間に設置された複数の位置決め部材を有し、各位置決め部材は、前記蓋から伸延する中空の位置コラム、第２制御部材上の位置決め凹所、および、位置決め凹所と位置決めコラムとの間に保持された弾力ビードを有する請求項８に記載の出口弁。
【考案の詳細な説明】
【技術分野】
【０００１】
　本考案は、水供給装置のための出口弁構造、より詳しくは、熱水、冷水および／または温水の供給を制御するための出口弁構造に関する。
【背景技術】
【０００２】
　図１０は、従来の水供給装置の構造を示す。水供給装置ｌａの前面パネルに形成された凹部は、容器を設置する空間１０ａである。この凹部の空間１０ａの頂部には、それぞれ熱水、冷水および温水の供給を制御する３つの出口弁１１ａが並設されている。選択した出口弁１１ａの下に容器を配置し、当該出口弁１１ａを操作することにより、要求された温度の水が、供給される。
【０００３】
　従来の水供給装置ｌａは、熱水と冷水の供給をそれぞれ制御する少なくとも２つの出口弁１１ａを有している。温水が要求される場合、ユーザは、熱水と冷水を特定の割合で混ぜるか、または、温水出口弁を付加し、これを使用することもできる。上記いずれの方法であっても、種々の温度の水を供給するには、容器を設置するための大きな空間と、大きな前面パネルエリアが必要となる。
【０００４】
　したがって、水の供給を受ける容器を設置する空間と前面パネルエリアを低減した、熱水、冷水および温水の水供給装置を提供する必要性が生じている。
【考案の開示】
【考案が解決しようとする課題】
【０００５】
　　　本考案は、容器を設置する前面パネルエリアと空間を低減でき、熱水、冷水および温水を供給する水供給装置の単一出口弁を提供する。
【課題を解決するための手段】
【０００６】
　本考案により提供される出口弁は、空間を有する本体部材、第１制御部材、第２制御部材および制御スイッチを有している。前記本体部材は、水入口、水供給口、第１出口、および、底面の第１端部の第２出口を有している。前記本体部材の第２端部は、前記空間内の第１および第２の制御部材を受け入れるように開放されている。前記空間内で固定された第１の制御部材は、１つの水入口、１つの水供給口、当該水入口に対し離間した第１出口、および水入口近傍の第２出口を有している。前記第１出口は、連通溝によって水供給口に連結されている。前記本体部材の、水入口、水供給口、第１および第２出口は、第１制御部材の、水入口、水供給口、第１および第２出口とそれぞれ整合される。第２制御部材は、第１制御部材に上に載置されている。第２制御部材は、１つのスロットと、当該スロット内に伸延された水ブロックとを有している。通常、閉鎖状態の場合は、第１制御部材の水入口は、水ブロックと整合し、当該水ブロックによって閉鎖され、第１制御部材の水供給口は、第２制御部材のスロットと連通される。第２制御部材の第１出口と第２出口との間には、第３出口が形成されている。スイッチ部材は、本体部材の開放された端部を覆い、かつ第２制御部材と連結されている。スイッチ部材を作動することにより、第２制御部材は、第１制御部材に対して作動される。
【考案の効果】
【０００７】
　本考案に係る水供給装置の出口弁は、ハンドル操作される１つの出口弁のみが、熱水、冷水及び所望の温水を供給するために使われるので、前面パネルエリアと水容器に対応する空間は、大幅に低減でき、また、自動的に温水を得ることができる。
【考案を実施するための最良の形態】
【０００８】
　以下、本考案の実施形態を図面により説明する。
【０００９】
　図１は本考案に係る水供給装置の分解斜視図、図２は異なる視角からの水供給装置の分解斜視図、図９は水供給装置の斜視図である。
【００１０】
　本考案は、熱水、冷水および温水の供給と切り替えを制御するために使用される出口弁を提供する。この出口弁は、本体部材１、第１制御部材２、第２制御部材３、および制御スイッチ４を有している。
【００１１】
　本体部材１は、出口弁の大部分を占めている。本体部材１は、中空で、内部に空間１０を有している。本体部材１の一側には、水入口１１、水供給口１２、第１出口１３および第２出口１４が、底面に形成されている。管１５が、本体部材１の側壁から突出され、その一端が本体部材１の空間１０と連通し、他端が水出口１５０として使用されるようになっている。本体部材１の他側は、第１制御部材２、第２制御部材３、および制御スイッチ４をその内部に収容するため、開放されている。
【００１２】
　第１制御部材２は、本体部材１の空間１０内に設けられている。この第１制御部材２は、相互に取り付けられた上部体２０と下部体２１を有している。下部体２１は、底面と接触するので、シリコンのような材料から作られることが好ましい。上下部体２０，２１は、相互に整合される連結孔２００，２１０（図２参照）を有し、当該上下部体２０，２１を一体化された第１制御部材２として固定するねじのような固定部材の挿通を許容している。
【００１３】
　前記上部体２０および下部体２１の各中心には、軸孔２０１、２１１が形成されている。これら上部体２０および下部体２１の軸孔２０１、２１１を挿通するように本体部材１の底面に軸柱１６（図１参照）が取り付けられている。したがって、突起１７とノッチ部２０２，２１２との係合により、本体部材１に第１制御部材２が固定され、第１制御部材２と本体部材１との間の相対的な回転が防止される。
【００１４】
　水入口２０３，２１３が、それぞれ上下部体２０，２１に形成されている。上部体２０では、水供給口２０４が、水入口２０３の付近に形成され、第１出口２０５が水入口２０３から離間した位置に形成されている。水供給口２０４と第１出口２０５を連通している連通溝２０６が、上部体２０に形成されている。同様に、下体部２１には、連通溝２１４が、前記連通溝２０６と整合するように形成されている。したがって、上下部体２０，２１が相互に組み付けられると、連通溝２０６，２１４は水の流通を許容する通路を形成することになる。
【００１５】
　第２出口２０７，２１５が、上下部体２０，２１において、それぞれ水入口２０３，２１３に対し離間した位置に形成されている。水入口１１、水供給口１２、第１出口１３、および本体部材１の第２出口１４は、それぞれ水入口２０３，２１３、水供給口２０４、第１出口２０５および第２出口２０７，２１５に連通される。
【００１６】
　第２制御部材３は、第１制御部材２の上に載置されている本体部材１の空間１０に可動／回転可能に取り付けられる。第２制御部材３は、スロット３０と、当該スロット３０に突出している水ブロック３１とを有している。通常、閉鎖状態の場合、出口弁は、水ブロック３１が、水入口２０３を密閉するように第１制御部材２の水入口２０３と整合される。一方、第１制御部材２の水供給口２０４は、スロット３０と整合され、流体連通状態になる。
【００１７】
　第２制御部材３は、スロット３０に加えて少なくとも第３出口３２を有している。第３出口３２は、第１制御部材２の上部体２０の第１出口２０５と第２出口２０７との間の領域と整合される。本考案の実施形態では、３つの第３出口３２が、第１制御部材２の第１出口２０５および第２出口２０７と、互い違いに配置されるように第２制御部材３上に形成されている。
【００１８】
　第２制御部材３は、その中心に軸孔３３が穿孔された円板を有することが好ましい。軸孔２０１，２１１も同様であるが、軸柱１６が第２制御部材３の軸孔３３に挿通されている。本実施形態では、本体部材１の空間１０の輪郭形状は、第２制御部材３が空間１０内で第１制御部材２に対して自由に回転できるように、第２制御部材３の周囲と共形である。
【００１９】
　制御スイッチ４は、本体部材１の他側に載置され、第２制御部材３と連結されている。制御スイッチ４を制御することによって、第１制御部材２と第２制御部材３との間の相対的な回転が発生させられる。本実施形態では、制御スイッチ４は、制御ハンドル４０、本体部材１の他側を覆う蓋４１、および蓋４１と制御ハンドル４０を第２制御部材３に連結する軸４２とを有している。制御ハンドル４０を動かすことによって、第２制御部材３は、第１制御部材２に対して回転される。本体部材１と蓋４１との間から水漏れしないようにぴったりとした係合を確実にするために、シールリング４１０が蓋４１と本体部材１との間に設置され、また、軸４２と蓋４１との間にシールリング４２０を設置してもよい。
【００２０】
　一方、制御スイッチ４の制御ハンド４１を動かしたときの位置決め効果は、第２制御部材３上に形成された位置決め凹所３４と、蓋４１から伸延する位置決めコラム４１１内の弾性位置決め部材４３との嵌合によって得られる。位置決め部材４３は、位置決め凹所３４に加圧力を作用することにより当該凹所３４に保持される。なお、弾力ある位置決め部材４３は、位置決めコラム４１１内のバネ４３０と、位置決めビード４３１とを有している。
【００２１】
　図２、３、８に示すように、出口弁が、通常、閉鎖状態の場合は、制御ハンドル４０が、図８に示すように「０」を示している。水供給装置５内に設置されている熱水キャニスタ５０は、管を介して本体部材１の水入口１１に連結されている。これにより、熱水は、第１および第２の制御部材２，３の水入口２０３，２１３に導かれる。しかし、第２制御部材２の入口２１３は、水ブロック３１により閉鎖されているので、熱水は流下できず、出口弁は、オフとなる。
【００２２】
　図２、４、８に示すように、制御ハンドル４０が「１」（図８）に回されると、水ブロック３１が第２制御部材３の水入口２０３から移動されるので、第２制御部材３は、回転する制御ハンドル４０により駆動される。熱水は、スロット３０に流れることができる。一方、第３出口３２のうちの１つが、第１制御部材２の第１出口２０５に連通されるので、第１制御部材２の水供給口２０４は、熱水を供給するスロット３０に連通される。熱水は、連通溝２０６，２１４によって形成された通路から第１出口２０５に流れ、第２制御部材３の第３出口３２から流出する。これにより、熱水は、下方へ集まり、本体部材の出口１５０から供給される。
【００２３】
　図２、５、８に示すように、制御ハンドル４０が「２」（図８）に回されると、第２制御部材３が水ブロック３１を水入口２０３から移動する。したがって、熱水は，連通溝２０６，２１４によって形成された通路を通って流れる。しかし、第２制御部材３の回転の結果、第３出口３２の１つが第１制御部材２の第２出口２０７，２１５と整合される。したがって、熱水は、第１出口２０５を通って流れることができず、本体部材１の第１出口１３に向かって集まるのみである。第１出口１３は、管により水供給装置５内の冷水キャニスタ５１と連結され、熱水は、冷水キャニスタ５１に流れ込み、冷却される。最適な冷却効果を得るために、冷水キャニスタ５１は、側壁に熱水の流通を許容する１つの開口部を有することが好ましい。冷水キャニスタ５１の頂部は、管を介して本体部材１の第２出口１４に連結されているので、冷水キャニスタ５１で熱水により大量に作られた冷水が、第２出口１４から第２出口２０７，２１５を介して第２制御部材３の第３出口３２から流出する。これにより、冷水は、出口１５０から供給されるように下方へ集まる。
【００２４】
　図２、６、７、８に示すように、制御ハンドル４０が「３」（図３）を指すと、熱水は、スロット３０への流れが許容される。一方、第２制御部材３の変位により、第１および第２出口２０５，２０７は、熱水と冷水を同時に供給するために部分的に開放される。したがって、冷水と熱水がミックスされた温水が、出口１５０から流出される。より具体的には、第２制御部材３が、図６または図７に示すように、変位されると、第３出口３２のうちの1つが、第１入口２０５または第２入口２０７と部分的に整合し、一方、両側にある第３出口３２の他の１つが、第２出口２０７（図６）または第１出口（図７）と部分的に整合される。いずれの状態も、上記構成では、温水を出口１５０から供給することになる。
【００２５】
　上述したように、本考案は、水供給装置の出口弁を提供する。このようにハンドル操作される１つの出口弁のみが、熱水、冷水及び所望の温水を供給するために使われる。したがって、前面パネルエリアと水容器に対応する空間は、大幅に低減される。さらに、人は、冷温水を混合するという労力を費やすことなく、直接に温水を得ることができる。
【００２６】
　本考案の他実施形態は、明細書を考慮し、本願明細書に開示された考案を実行する当業者にとって明らかであろう。明細書や代表的に考慮された例は、請求項に示された本考案の真の範囲および趣旨を意図している。
【図面の簡単な説明】
【００２７】
【図１】本考案に係る水供給装置の分解斜視図である。
【図２】異なる視角からの水供給装置の分解斜視図である。
【図３】オフ状態の第１および第２の制御部材の概略平面図である。
【図４】熱水が供給される場合の、第１および第２制御部材の概略平面図である。
【図５】冷水が供給される場合の、第１および第２制御部材の概略平面図である。
【図６】温水が供給される場合の、第１および第２制御部材の概略平面図である。
【図７】温水が供給される場合の、第１および第２制御部材の概略平面図である。
【図８】水供給装置のブロック線図である。
【図９】水供給装置の斜視図である。
【図１０】従来の水供給装置の斜視図である。図である。
【符号の説明】
【００２８】
　１…本体部材、
　１１…本体部材の水入口、
　１２…本体部材の水供給口、
　１３…本体部材の第１出口、
　１４…本体部材の第２出口、
　１６…軸柱、
　１７…突起、
　２…第１制御部材、
　２０…上部体、
　２１…下部体、
　２００，２１０…連結孔、
　２０１，２１１…軸孔、
　２０２，２１２…ノッチ部、
　２０３，２１３…第１制御部材の水入口、
　２０５…第１制御部材の第１出口、
　２０６…連通溝、
　２０７…第１制御部材の第２出口、
　３…第２制御部材、
　３０…スロット、
　３１…水ブロック、
　３２…第３出口、
　３４…位置決め凹所、
　４…制御スイッチ、
　４０…制御ハンドル、
　４１…蓋、
　４１０…シールリング、
　４１１…位置コラム、
　４２…軸、
　４３…位置決め部材、
　４３１…弾力ビード。
【図１】
0003099075.tif 000003
【図２】
0003099075.tif 000004
【図３】
0003099075.tif 000005
【図４】
0003099075.tif 000006
【図５】
0003099075.tif 000007
【図６】
0003099075.tif 000008
【図７】
0003099075.tif 000009
【図８】
0003099075.tif 000010
【図９】
0003099075.tif 000011
【図１０】
0003099075.tif 000012